(57)【要約】【課題】カメラ動作中にカメラ部からモニター部を取り外した時に、行っていた処理によっては、行っていた処理を中断するよう制御する。【解決手段】被写体を撮像し画像データを生成する撮像手段を有するカメラ部と、前記カメラ部から送られる画像データを表示する手段を有するモニター部とを有し、前記カメラ部と前記モニター部とは互いに分離することが可能な撮像装置であって、前記カメラ部と前記モニター部とが合体時においては、電気的に接続して通信する第１の通信手段と、前記カメラ部と前記モニター部とが分離時においては、無線接続により通信する第２の通信手段と、前記カメラ部と前記モニター部とが分離された時、あるいは合体された時に、どのような処理を行っていたかを判定する判定手段と、合体の状態から分離された場合、前記判定手段が判定した処理の結果によっては、行っていた処理を中断するよう制御する動作制御手段とを有する。【選択図】図３
2016063483.tif 000002
【特許請求の範囲】
【請求項１】
被写体を撮像し画像データを生成する撮像手段を有するカメラ部と、前記カメラ部から送られる画像データを表示する手段を有するモニター部とを有し、前記カメラ部と前記モニター部とは互いに分離することが可能な撮像装置であって、
前記カメラ部と前記モニター部とが合体時においては、電気的に接続して通信する第１の通信手段と、
前記カメラ部と前記モニター部とが分離時においては、無線接続により通信する第２の通信手段と、
前記カメラ部と前記モニター部とが分離された時、あるいは合体された時に、どのような処理を行っていたかを判定する判定手段と、
合体の状態から分離された場合、
前記判定手段が判定した処理の結果によっては、行っていた処理を中断するよう制御する動作制御手段とを有することを特徴とする撮像装置。
【請求項２】
前記動作制御手段は、前記判定手段がライブビュー撮影、動画撮影、画像再生処理を行っていたと判定した場合に、行っていた処理を中断するよう制御することを特徴とする請求項１に記載の撮像装置。
【請求項３】
前記動作制御手段は、前記判定手段が撮影、多重撮影処理を行っていたと判定した場合に、行っていた処理を継続するよう制御することを特徴とする請求項１に記載の撮像装置。
【請求項４】
被写体を撮像し画像データを生成する撮像手段を有するカメラ部と、前記カメラ部から送られる画像データを表示する手段を有するモニター部とを有し、前記カメラ部と前記モニター部とは互いに分離することが可能な撮像装置であって、
前記カメラ部と前記モニター部とが合体時においては、電気的に接続して通信する第１の通信手段と、
前記カメラ部と前記モニター部とが分離時においては、無線接続により通信する第２の通信手段と、
分離された時、あるいは合体された時に、どのような処理を行っていたかを判定する判定手段と、
分離状態から合体された場合、
前記判定手段が判定した処理の結果によっては、行っていた処理を継続するよう制御する動作制御手段とを有することを特徴とする撮像装置。
【請求項５】
前記動作制御手段は、前記判定手段が撮影、多重撮影、動画撮影処理を行っていたと判定した場合に、行っていた処理を継続するよう制御することを特徴とする請求項４に記載の撮像装置。
【請求項６】
前記動作制御手段は、前記判定手段がライブビュー撮影、画像再生処理を行っていたと判定した場合に、行っていた処理を中断するよう制御することを特徴とする請求項４に記載の撮像装置。
【請求項７】
被写体を撮像し画像データを生成する撮像工程を有するカメラ部と、前記カメラ部から送られる画像データを表示する工程を有するモニター部とを有し、前記カメラ部と前記モニター部とは互いに分離することが可能な撮像装置の制御方法であって、
前記カメラ部と前記モニター部とが合体時においては、電気的に接続して通信する第１の通信工程と、
前記カメラ部と前記モニター部とが分離時においては、無線接続により通信する第２の通信工程と、
前記カメラ部と前記モニター部とが分離された時、あるいは合体された時に、どのような処理を行っていたかを判定する判定工程と、
合体の状態から分離された場合、
前記判定工程において判定した処理の結果によっては、行っていた処理を中断するよう制御する動作制御工程とを有することを特徴とする撮像装置の制御方法。
【請求項８】
被写体を撮像し画像データを生成する撮像工程を有するカメラ部と、前記カメラ部から送られる画像データを表示する工程を有するモニター部とを有し、前記カメラ部と前記モニター部とは互いに分離することが可能な撮像装置の制御方法であって、
前記カメラ部と前記モニター部とが合体時においては、電気的に接続して通信する第１の通信工程と、
前記カメラ部と前記モニター部とが分離時においては、無線接続により通信する第２の通信工程と、
分離された時、あるいは合体された時に、どのような処理を行っていたかを判定する判定工程と、
分離状態から合体された場合、
前記判定工程において判定した処理の結果によっては、行っていた処理を継続するよう制御する動作制御工程とを有することを特徴とする撮像装置の制御方法。
【請求項９】
被写体を撮像し画像データを生成する撮像工程を有するカメラ部と、前記カメラ部から送られる画像データを表示する工程を有するモニター部とを有し、前記カメラ部と前記モニター部とは互いに分離することが可能な撮像装置の制御方法をコンピュータに実行させるプログラムであって、
前記カメラ部と前記モニター部とが合体時においては、電気的に接続して通信する第１の通信工程と、
前記カメラ部と前記モニター部とが分離時においては、無線接続により通信する第２の通信工程と、
前記カメラ部と前記モニター部とが分離された時、あるいは合体された時に、どのような処理を行っていたかを判定する判定工程と、
合体の状態から分離された場合、
前記判定工程において判定した処理の結果によっては、行っていた処理を中断するよう制御する動作制御工程とをコンピュータに実行させることを特徴とするプログラム。
【請求項１０】
被写体を撮像し画像データを生成する撮像工程を有するカメラ部と、前記カメラ部から送られる画像データを表示する工程を有するモニター部とを有し、前記カメラ部と前記モニター部とは互いに分離することが可能な撮像装置の制御方法をコンピュータに実行させるプログラムであって、
前記カメラ部と前記モニター部とが合体時においては、電気的に接続して通信する第１の通信工程と、
前記カメラ部と前記モニター部とが分離時においては、無線接続により通信する第２の通信工程と、
分離された時、あるいは合体された時に、どのような処理を行っていたかを判定する判定工程と、
分離状態から合体された場合、
前記判定工程において判定した処理の結果によっては、行っていた処理を継続するよう制御する動作制御工程とをコンピュータに実行させることを特徴とするプログラム。
【発明の詳細な説明】
【技術分野】
【０００１】
本発明は撮像装置および撮像装置の制御方法に関し、特に、撮影を行うカメラ部と撮影画像の確認を行うモニター部が分離可能な撮像装置に関する。
【背景技術】
【０００２】
従来から、カメラ部とモニター部が分離して撮影画像あるいは再生画像を無線通信でやり取りする方法が提案されている。例えば、カメラ部で撮影した画像を無線通信でモニター部へ送信し、表示する方法が開示されている。
【０００３】
このとき、カメラ部とモニター部が物理的に接続されている場合はコネクタ接続を行い、カメラ部からモニター部を取り外した場合は無線接続を行う。そのため、カメラ部からモニター部が取り外された際には、カメラ部はモニター部を検索し無線接続を開始する。
【０００４】
また、カメラ部とモニター部が分離状態から合体された際には、カメラ部はモニター部との無線接続を止め、コネクタ接続に切り替える。しかし、撮影処理中や画像再生処理中に、カメラ部からモニター部を取り外したり合体したりした場合は、処理中の動作に影響を及ぼすことが起こりえる。
【０００５】
また、従来から、カメラ部と表示部を分離可能に構成した撮像装置において、カメラ部及びモニター部のそれぞれに操作スイッチを備え、モニター部側からカメラ部をパン、チルト動作するものがある（例えば特許文献１参照）。また、モニター部がカメラ部から取り外されているとき、手ブレ補正手段の動作を禁止することで、より効果的に電力消費を抑えるものがある（例えば特許文献２参照）。
【先行技術文献】
【特許文献】
【０００６】
【特許文献１】特開平９−３２６９５１号公報
【特許文献２】特開２０１２−８４９９１号公報
【発明の概要】
【発明が解決しようとする課題】
【０００７】
しかしながら、前述の特許文献１、特許文献２の場合、モニター部がカメラ部と接続されているかそうでないかだけを判断しており、取り外したり合体したりした時に行っていた処理によって、処理を継続または終了するようなことは考えられていない。
本発明は前述の問題点に鑑み、カメラ動作中にカメラ部からモニター部を取り外した時に、行っていた処理によっては、行っていた処理を中断するよう制御することを目的とする。
【課題を解決するための手段】
【０００８】
本発明の撮像装置は、被写体を撮像し画像データを生成する撮像手段を有するカメラ部と、前記カメラ部から送られる画像データを表示する手段を有するモニター部とを有し、前記カメラ部と前記モニター部とは互いに分離することが可能な撮像装置であって、前記カメラ部と前記モニター部とが合体時においては、電気的に接続して通信する第１の通信手段と、前記カメラ部と前記モニター部とが分離時においては、無線接続により通信する第２の通信手段と、前記カメラ部と前記モニター部とが分離された時、あるいは合体された時に、どのような処理を行っていたかを判定する判定手段と、合体の状態から分離された場合、前記判定手段が判定した処理の結果によっては、行っていた処理を中断するよう制御する動作制御手段とを有することを特徴とする。
【発明の効果】
【０００９】
本発明によれば、カメラ動作中にカメラ部からモニター部を取り外した時に、行っていた処理によっては、行っていた処理を中断するよう制御することができる。
【図面の簡単な説明】
【００１０】
【図１】第１の実施形態における撮像装置の概要を示す図である。
【図２Ａ】第１の実施形態における撮像装置を構成するカメラ部とモニター部の構成例を示すブロック図である。
【図２Ｂ】第１の実施形態におけるカメラ部とモニター部を分離した場合のレイアウトの一例を示す図である。
【図２Ｃ】第１の実施形態におけるカメラ部のＣＰＵが行う処理を示す図である。
【図３】第１の実施形態における、分離中にカメラ部とモニター部が合体した場合のカメラ部の処理を説明するフローチャートである。
【図４】第１の実施形態における、分離中にカメラ部とモニター部が合体した場合のモニター部の処理を説明するフローチャートである。
【図５】第１の実施形態における、合体中にカメラ部からモニター部が取り外された場合のカメラ部の処理を説明するフローチャートである。
【図６】第１の実施形態における、合体中にカメラ部からモニター部が取り外された場合のモニター部の処理を説明するフローチャートである。
【発明を実施するための形態】
【００１１】
＜第１の実施形態＞
図１は、本発明の第１の実施形態に係るシステムの概要を示す図である。本実施形態では、撮像装置の一例であるカメラ１はカメラ部１００と、モニター部３００という２つのユニットから構成され、両部間はコネクタまたは無線ＬＡＮ等のネットワーク２００を介して接続されている。
【００１２】
図２Ａは、本実施形態に係る撮像装置を構成するカメラ部１００とモニター部３００の構成例を示すブロック図である。
カメラ部１００において、１０１は光学系であり、レンズユニット、絞り、シャッターなどが含まれる。１０２は光学的な被写体像を電気信号に変換する撮像素子である。１０３はＣＰＵであり、各部からの入力信号やプログラムに従い、撮像制御、記憶制御、通信制御などを行う。１０４はＲＡＭであり、一次記憶装置として動作する揮発性メモリが用いられる。
【００１３】
１０５はフラッシュメモリであり、二次記憶装置として動作する不揮発性メモリが用いられる。フラッシュメモリ１０５には、各種のプログラムが記憶されており、ＣＰＵ１０３はこれらのプログラムを読み出して実行することでカメラ部１００を制御する。１０６は記録媒体（例えばＳＤカード等のメモリーカード）であり、撮影により生成された画像データが記憶される。
【００１４】
１０７はコネクタであり、モニター部３００との電気的な通信インタフェースとして機能する。１０８は無線通信部であり、モニター部３００との無線通信インタフェースとして機能する。１０９は各種ボタンスイッチやダイアル、タッチパネル等で構成される操作部である。操作部１０９は例えば、ユーザーがカメラ１の電源のＯＮ／ＯＦＦを指示するための電源ボタンや、撮影を指示するためのレリーズスイッチ、画像データの再生を指示するための再生ボタンを含む。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、撮影を行うための指示を受け付ける。指示を受け付けた場合、ＣＰＵ１０３の制御によって撮影処理が実行される。撮影処理では、ＣＰＵ１０３が光学系１０１および撮像素子１０２を制御することで、レンズユニットで結像された被写体光を、撮像素子１０２が電気信号に変換し、ノイズ低減処理などを行い、デジタルデータを画像データとして出力する。
【００１５】
モニター部３００において、３０１はＣＰＵであり、各部からの入力信号やプログラムに従い、表示制御、通信制御などを行う。３０２はＲＡＭであり、一次記憶装置として動作する揮発性メモリが用いられる。３０３はフラッシュメモリであり、二次記憶装置として動作する不揮発性メモリが用いられる。フラッシュメモリ３０３には、各種のプログラムが記憶されており、ＣＰＵ３０１はこれらのプログラムを読み出して実行することでモニター部３００を制御する。
【００１６】
３０４はコネクタであり、カメラ部１００との電気的な通信インタフェースとして機能する。３０５は無線通信部であり、カメラ部１００との無線通信インタフェースとして機能する。３０６はＴＦＴ等から成る表示部である。
【００１７】
カメラ部１００とモニター部３００が一体となっている合体時に、カメラ部１００とモニター部３００はコネクタ接続を行う。このとき、カメラ部１００とモニター部３００は、図２Ｂに示したようなカメラ部１００にあるコネクタ１０７とモニター部３００にあるコネクタ３０４とで電気回路にて電気的に接続される。このとき、それぞれ信号線１００ａ及び３００ａが直接コネクタを介して接続することになる。
ＣＰＵ１０３は、信号線１００ａ及び３００ａを介して画像データをモニター部３００に転送する。ＣＰＵ３０１は、転送された画像データを表示部３０６に表示する。
【００１８】
カメラ部１００とモニター部３００が分離時に、カメラ部１００とモニター部３００は無線接続を行う。ＣＰＵ１０３は、無線通信部１０８を経由し、画像データをモニター部３００に転送する。ＣＰＵ３０１は、送信された画像データを、無線通信部３０５を介して受信し、受信した画像データを表示部３０６に表示する。
【００１９】
ここでの無線接続とは無線ＬＡＮのアドホック接続等でもよいし、Ｂｌｕｅｔｏｏｔｈ（登録商標）等の他の通信方式で接続してもよい。
なお、合体中にカメラ部１００からモニター部３００が取り外され分離状態となり、再度合体した時は、カメラ部１００とモニター部３００は無線接続を継続するのではなく、無線接続を止めてコネクタ接続を行う。
【００２０】
図２Ｃは、ＣＰＵ１０３が行う動作制御処理の一例を示す図である。
１０３Ａは分離状態から一体にされた場合、どのような撮影処理または画像再生処理を行っていたかを判定する処理である。
１０３Ｂは撮影、多重撮影、動画撮影処理を行っていたと判定した場合に、行っていた処理を継続する処理である。
【００２１】
撮影処理は、通常撮影モードにおけるライブビュー画像の表示中にＳＷ２がＯＮとなることによって開始される一連の処理である。なお、以下の説明では、撮影処理中とは、ＳＷ２がＯＮとなってから、撮影により出力された画像データの記録媒体への記録が完了するまでとする。
【００２２】
多重撮影処理とは、予め設定した枚数の画像を撮影し、互いに重ね合わせて一枚の多重画像を生成する処理であり、通常撮影モードとは異なるモードである多重撮影モードにて実行される処理である。多重撮影モードにおいては、まず、通常撮影モードと同様の手順にて撮影し、一枚目の画像を保持する。そして、撮像して得た一枚目の画像を透過して、ライブビューに重畳表示することで、二枚目の画像との重なり方を把握しながら、二枚目の画像の撮像を行うことができるよう構成される。本実施形態では、撮像して得た一枚目の画像を透過して、ライブビューに重畳表示している状態から、二枚目以降を撮像して、多重画像を保存し終えるまでの期間を多重撮影中とする。つまり、多重撮影モードであっても、一枚目の画像を撮像し終えてライブビューに重畳表示するまでは、多重撮影中ではなくライブビュー中であるとする。
【００２３】
動画撮影処理とは、動画撮影モードにおいて、動画像を記録する処理である。この処理は、動画撮影モードにおけるライブビュー画像の表示中に、レリーズスイッチとは別のスイッチを操作することで開始される。また、以下の説明では、動画撮影処理中とは、動画像の撮影が開始してから、動画像の記録媒体への記録が完了するまでとする。
【００２４】
１０３Ｃはライブビュー撮影、画像再生処理を行っていたと判定した場合に、行っていた処理を中断する処理である。
ライブビュー撮影とはライブビュー表示のための撮影処理を言う。ライブビュー表示のための撮影処理では、出力される画像は記録媒体１０６には記録されず、モニター部３００に出力される。以下の説明では、ライブビュー撮影中とは、通常撮影モード、多重撮影モード、動画撮影モードのいずれかのモードで、データの記録が実行されていない状態（いわゆるライブビュー画面が表示されている状態）とする。
【００２５】
画像再生処理とは、記録媒体１０６に記録されている静止画像および動画像を再生する処理である。以下の説明では、画像再生中とは、静止画像および動画像を読み出し、モニター部３００の表示部３０６に表示している状態とする。
１０３Ｄは一体の状態から分離された場合、どのような撮影処理または画像再生処理を行っていたかを判定する処理である。
【００２６】
１０３Ｅはライブビュー撮影、動画撮影、画像再生処理を行っていたと判定した場合に、行っていた処理を中断する処理である。
１０３Ｆは撮影、多重撮影処理を行っていたと判定した場合に、行っていた処理を継続する処理である。
【００２７】
図３は、本実施形態に係る、分離中にカメラ部１００とモニター部３００が合体した場合のカメラ部１００の処理手順を説明するフローチャートである。
Ｓ３０１において、ＣＰＵ１０３が、ユーザーがカメラ部１００とモニター部３００を合体したことを検知したとき、Ｓ３０２において、ＣＰＵ１０３はどのような動作を実行中であるか判断する。
【００２８】
ＣＰＵ１０３は、判断の結果、撮影中または多重撮影中、ライブビュー撮影中、動画撮影中、画像再生中でなければＳ３０３において、モニター部３００へ無線接続を終了する要求を送信する。その後、Ｓ３０４において、ＣＰＵ１０３は、モニター部３００との無線接続を終了し、Ｓ３０５において、モニター部３００とコネクタ接続を開始する。
【００２９】
ＣＰＵ１０３は、判断の結果、撮影中である場合、Ｓ３０６において、撮影処理が完了するまで待機する。ユーザーが撮影処理を終了すると、Ｓ３０７において、ＣＰＵ１０３は撮影した画像を記録媒体１０６に保存する。そして、Ｓ３０３において、ＣＰＵ１０３は、モニター部３００へ無線接続を終了する要求を送信し、Ｓ３０４において、モニター部３００との無線接続を終了し、Ｓ３０５において、モニター部３００とコネクタ接続を開始する。
【００３０】
ＣＰＵ１０３は、判断の結果、多重撮影中または動画撮影中である場合、Ｓ３０８において、これらの処理を継続し、撮影が完了するまで待機する。つまり、有線接続が可能な状況であっても、無線接続を継続する。多重撮影中の場合は撮影した画像をライブビューに重畳表示して、二枚目以降の画像を撮影するためにディスプレイを注視している可能性が高い。そのため、ディスプレイが暗転してしまうことは好ましくない。そこで、本実施形態のカメラは、無線接続から有線接続への切り替わりに起因するディスプレイの暗転を避けるため、有線接続可能な状況であっても、多重撮影が完了するまで無線接続を継続する。これにより、ユーザーは画像の重なり具合を確実に確認しながら二枚目以降の画像を撮影することができる。また、動画撮影についても同様である。すなわち、動画撮影中は常にディスプレイを注視している可能性が高いため、ディスプレイの暗転を避けることを優先して、無線接続を継続する。
【００３１】
ユーザーが多重撮影、または動画撮影処理を終了すると、Ｓ３０３において、ＣＰＵ１０３は、モニター部３００へ無線接続を終了する要求を送信する。Ｓ３０４において、ＣＰＵ１０３は、モニター部３００との無線接続を終了し、Ｓ３０５において、モニター部３００とコネクタ接続を開始する。
【００３２】
一方、ＣＰＵ１０３は、Ｓ３０２の判断の結果、ライブビュー撮影中または画像再生中であると判断した場合は、多重撮影時や動画撮影時に比べて、ユーザーがディスプレイを注視している必要性が低い。また、データの記録を伴わないため、一時的なディスプレイ暗転の影響は比較的小さい。そこで、この場合は、ディスプレイの暗転を避けることよりも、より早い段階で有線接続に切り替えることを優先する。すなわち、Ｓ３０９において、これらの処理を終了する。このとき処理が終了したため、ＣＰＵ３０１は表示部３０６に表示するのを止める。その後、ＣＰＵ１０３は、前述したＳ３０３〜Ｓ３０５の処理を実行する。
【００３３】
同様に、図４は第１の実施形態に係る、分離中にカメラ部１００とモニター部３００が合体した場合のモニター部３００の処理手順を説明するフローチャートである。
Ｓ４０１において、ユーザーがカメラ部１００とモニター部３００を合体したとき、ＣＰＵ３０１は、Ｓ４０２において、カメラ部１００より無線接続を終了する要求を受信するまで待機する。Ｓ４０３において、ＣＰＵ３０１は、カメラ部から無線接続を終了する要求を受信すると、カメラ部１００との無線接続を終了し、Ｓ４０４において、カメラ部１００とコネクタ接続を開始する。
【００３４】
図５は、第１の実施形態に係る、合体中にカメラ部１００からモニター部３００が取り外された場合のカメラ部１００の処理手順を説明するフローチャートである。
Ｓ５０１において、ユーザーがカメラ部１００からモニター部３００を取り外したとき、Ｓ５０２において、ＣＰＵ１０３は、どの動作を実行中であるか判断する。
【００３５】
ＣＰＵ１０３は、判断の結果、撮影中または多重撮影中、ライブビュー撮影中、動画撮影中、画像再生中でなければ、Ｓ５０３において、モニター部３００と無線接続を開始する。
【００３６】
ＣＰＵ１０３は、判断の結果、撮影中である場合、Ｓ５０４において、撮影処理が完了するまで待機する。撮影処理が完了すると、Ｓ５０５において、ＣＰＵ１０３は、撮影した画像を記録媒体１０６に保存する。そして、Ｓ５０３において、ＣＰＵ１０３はモニター部３００と無線接続を開始する。この時、モニター部３００はカメラ部１００より取り外されているため、ＣＰＵ３０１は表示部３０６に表示するのを止める。
【００３７】
ＣＰＵ１０３は、判断の結果、多重撮影中である場合（一枚目の画像が重畳表示されている状態を含む）、Ｓ５０６において、多重撮影処理を継続する。この時、合体中であればＣＰＵ３０１は、表示部３０６に素材となる画像を表示するが、モニター部３００はカメラ部１００より取り外されているため、ＣＰＵ３０１は表示部３０６に表示するのを止める。ここでいう多重撮影処理の継続とは、表示自体は不可能であっても、素材となる画像を維持することである。
【００３８】
そして、Ｓ５０３にて、ＣＰＵ１０３は、多重撮影処理を継続したままモニター部３００と無線接続を開始する。ユーザーが多重撮影処理を終了する前に、ＣＰＵ１０３が無線接続を開始したら、モニター部３００はカメラ部１００から送信された画像を表示することができる。すなわち、ＣＰＵ１０３は素材となる画像およびライブビュー画像をモニター部３００に送信し、ＣＰＵ３０１は無線通信でカメラ部１００から送信された素材となる画像をライブビュー画像に重畳して表示部３０６に表示する。
【００３９】
ＣＰＵ１０３は、判断の結果、ライブビュー撮影中または動画撮影中、または画像再生中である場合、Ｓ５０７において、これらの処理を終了する。なぜなら、これらの処理は、画面を閲覧することが前提となる処理だからである。また、処理が終了したため、ＣＰＵ３０１は、表示部３０６に表示するのを止める。そして、Ｓ５０３において、ＣＰＵ１０３はモニター部３００と無線接続を開始する。
【００４０】
同様に、図６は本実施形態に係る、合体中にカメラ部１００からモニター部３００が取り外された場合のモニター部３００の処理手順を説明するフローチャートである。
Ｓ６０１において、ユーザーがカメラ部１００からモニター部３００を取り外すと、Ｓ６０２において、ＣＰＵ３０１はカメラ部１００と無線接続を開始する。
前述のように処理を行うことにより、合体状態において、ユーザーがカメラ部１００とモニター部３００を分離した場合においても、処理中の動作に影響を及ぼすことがないようにすることができる。
【００４１】
前述した実施形態では、どのような撮影処理または画像再生処理を行っていたか、処理の内容で継続または終了する例を挙げたが、処理の内容だけでなくＣＰＵ１０３の性能や無線通信状況等から、処理を継続するか終了するかを決めてもよい。
【００４２】
（その他の実施形態）
本発明は、上述の実施形態の１以上の機能を実現するプログラムを、ネットワーク又はコンピュータ読み取り可能な記憶媒体を介してシステム又は装置に供給する。そして、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００４３】
１００  カメラ部
１０３  ＣＰＵ
１０４  ＲＡＭ
１０５  フラッシュメモリ
１０７  コネクタ
１０８  無線通信部
２００  ネットワーク
３００  モニター部
３０１  ＣＰＵ
３０２  ＲＡＭ
３０３  フラッシュメモリ
３０４  コネクタ
３０５  無線通信部
【図１】
2016063483.tif 000003
【図２Ａ】
2016063483.tif 000004
【図２Ｂ】
2016063483.tif 000005
【図２Ｃ】
2016063483.tif 000006
【図３】
2016063483.tif 000007
【図４】
2016063483.tif 000008
【図５】
2016063483.tif 000009
【図６】
2016063483.tif 000010